(57)【要約】【課題】干渉波による影響を適確に判定し、それにより通信装置において適確な送受信の制御を可能にする干渉波検出装置を提供する。【解決手段】ＲＦ信号についてオートゲインコントロールを行うＲＦ−ＡＧＣ回路と、中間周波数信号についてオートゲインコントロールを行うＩＦ−ＡＧＣ回路とを別々に設け、さらに、これらのＡＧＣ回路で生成されるＲＦ−ＲＳＳＩ信号とＩＦ−ＲＳＳＩ信号とを入力として、干渉波および希望信号の有無および強度をそれぞれ独立に検出する干渉波検出回路を設ける。この干渉波検出回路は、例えばこれらのＲＳＳＩ信号の比較により、干渉波のみが存在する状態、干渉波と希望信号の両方が存在する状態、および希望信号のみが存在する状態を識別する。【選択図】    図１
2004180156.tif 000002
【特許請求の範囲】
【請求項１】
所定の通信帯域のＲＦ信号の受信レベルに対応する第１受信レベル信号を出力すると共に、該ＲＦ信号についてオートゲインコントロールを行う第１のオートゲインコントロール手段と、
前記所定の通信帯域内における所定の通信チャンネルについての、ダウンコンバートされた中間周波数信号の受信レベルに対応する第２受信レベル信号を出力すると共に、該中間周波数信号についてオートゲインコントロールを行う第２のオートゲインコントロール手段と、
前記第１受信レベル信号と前記第２受信レベル信号とに基づいて、前記所定の通信帯域内における干渉波の有無を検出する干渉波検出手段と、
を備えることを特徴とする干渉波検出装置。
【請求項２】
前記干渉波検出手段は、さらに、受信の対象となる通信チャンネルの信号である受信対象信号について存在の有無を検出すること、を特徴とする請求項１に記載の干渉波検出装置。
【請求項３】
前記干渉波検出手段は、さらに、前記干渉波および／または前記受信対象信号の強度を検出すること、を特徴とする請求項２に記載の干渉波検出装置。
【請求項４】
前記干渉波検出手段は、前記第１受信レベル信号と前記第２受信レベル信号に基づいて、前記第１受信レベル信号のレベルが前記第２受信レベル信号のレベルよりも高い場合に前記干渉波が存在すると判定すること、を特徴とする請求項３に記載の干渉波検出装置。
【請求項５】
前記干渉波検出手段は、前記第２受信レベル信号のレベルが第１の所定値以上である場合には、前記受信対象信号が存在すると判定すること、を特徴とする請求項３または請求項４に記載の干渉波検出装置。
【請求項６】
前記干渉波検出手段は、前記第１受信レベル信号のレベルが第２の所定値以下である場合、干渉波は存在しないと判定すること、を特徴とする請求項３から請求項５のいずれかに記載の干渉波検出装置。
【請求項７】
前記干渉波検出手段は、前記第１受信レベル信号のレベルおよび前記第２受信レベル信号のレベルを、レベルの高い方から順に以下の３つの範囲、
範囲Ａ：前記第１受信レベル信号のレベルは前記受信レベルが大きくなるにしたがって上昇するように変化する領域であり、かつ、前記第２受信レベル信号は最大値で飽和している領域、
範囲Ｂ：前記第１受信レベル信号は最小値となっている領域であり、かつ、前記第２受信レベル信号は前記受信レベルが大きくなるにしたがって上昇する領域、
範囲Ｃ：前記第１受信レベル信号および前記第２受信レベル信号が共に最小値となる領域、
のいずれかの範囲にあるとして判定すること、を特徴とする請求項１に記載の干渉波検出装置。
【請求項８】
前記干渉波検出手段は、前記干渉波と、受信の対象となる通信チャンネルの信号である受信対象信号について、下記の基準、
（１）前記第１受信レベル信号が前記範囲Ｂまたは範囲Ｃにあり、かつ前記第２受信レベル信号が前記範囲Ｃにある場合には、前記干渉波および前記受信対象信号は無い第１状態であると判定する、
（２）前記第１受信レベル信号が前記範囲Ａにあり、かつ前記第２受信レベル信号が前記範囲Ｃにある場合には、強い干渉波のみ存在する第２状態であると判定する、
（３）前記第１受信レベル信号が前記範囲Ａにあり、かつ前記第２受信レベル信号が前記範囲Ｂにある場合には、干渉波および前記受信対象信号が存在する第３状態であると判定する、
（４）前記第１受信レベル信号が前記範囲Ｂまたは前記範囲Ｃにあり、かつ前記第２受信レベル信号が前記範囲Ｂにある場合には、干渉波は存在せず前記受信対象信号のみが存在する第４状態であると判定する、
（５）前記第１受信レベル信号が前記範囲Ａにあり、かつ前記第２受信レベル信号が前記範囲Ａにある場合には、強い前記受信対象信号が存在する第５状態であると判定する、
のうちの少なくともいずれか一つの基準にしたがって状態の判定を行うこと、を特徴とする請求項７に記載の干渉波検出装置。
【請求項９】
請求項８に記載の干渉波検出装置を備えるとともに、
通信相手との通信リンクが確立されている場合において、以下の条件、
条件１．前記第１状態のときには、所定の送信電力で送信を行う、
条件２．前記第２状態のときには、前記第１受信レベル信号のレベルが大きいほど送信電力を大きくする、
条件３．前記第３状態のときには、前記第１受信レベル信号のレベルの大きさが大きいほど送信電力を大きくし、および／または前記第２受信レベル信号のレベルが大きいほど送信電力を小さくする、
条件４．前記第４状態のときには、前記第２受信レベル信号のレベルが大きいほど送信電力を小さくする、
条件５．前記第５状態のときには、、前記第２受信レベル信号のレベルが大きいほど送信電力を小さくする、
のうちの少なくともいずれか一つの条件にしたがって送信電力の制御を行う送信電力制御手段を備えること、を特徴とする通信装置。
【請求項１０】
通信相手との通信リンクが確立されていない場合において、前記干渉波と前記受信対象信号の状態が前記第１状態または前記第２状態となる通信チャンネルを見つけ出し、該見つけ出された通信チャンネルを送信用の通信チャンネルとする送信チャンネル制御手段をさらに備えること、を特徴とする請求項９に記載の通信装置。
【請求項１１】
請求項１から請求項８のいずれかに記載の干渉波検出装置を備え、前記干渉波検出手段での検出結果に基づいて受信チャンネルの制御を行うこと、を特徴とする受信装置。
【発明の詳細な説明】
【０００１】
【発明の属する技術分野】
本発明は、ヘテロダイン方式を採用する受信装置の構成に関し、詳細には、このような受信装置における干渉波の検出に関する。
【０００２】
【従来の技術】
図３は、従来の、ヘテロダイン方式を採用する受信装置の信号受信部分についての構成の例である。図３の受信装置１００は、ＲＦ同調回路を持たないタイプの受信装置の構成の例である。受信装置１００の構成について説明する。アンテナ（不図示）から入力される受信信号１０８は、ＲＦ−ＡＧＣ回路１０１に入力され増幅された後、周波数変換回路１０２に入力され、ここで中間周波数信号に変換される。この中間周波数信号は、ＩＦ−ＡＧＣ回路１０３で増幅され、次に、検波回路１０４に入力される。検波回路１０４は、ベースバンド信号１０９を出力する。このベースバンド信号１０９から音声などの元の信号を再生することができる。
【０００３】
ベースバンド信号１０９は、ＡＧＣ回路１０５にも入力され、このＡＧＣ回路１０５は、ベースバンド信号１０９を基にＲＳＳＩ（Ｒｅｃｅｉｖｅｒ  Ｓｉｇｎａｌ  ＳｔｒｅｎｇｔｈＩｎｄｉｃａｔｏｒ）信号１１０を出力するように構成されている。ＲＳＳＩ信号１１０は、ＩＦ−ＡＧＣ回路１０３、キャリアセンス回路１０７に入力されるとともに、電圧変換回路１０６を経由して、ＲＦ−ＡＧＣ回路１０１にも入力される。なお、電圧変換回路１０６は、ＲＳＳＩ信号１１０を、ＲＦ−ＡＧＣ回路１０１の動作に適した電圧に変換する。キャリアセンス回路１０７は、ＲＳＳＩ信号に基づいてキャリアが検出されていることを示すキャリアセンス信号１１１を出力する。
【０００４】
ＩＦ−ＡＧＣ回路１０３は、ＲＳＳＩ信号１１０が所望のレベルとなるようにゲインをコントロールするように動作し、また、ＲＦ−ＡＧＣ回路１０１は、電圧出力回路１０６からの出力に応じてゲインをコントロールするように動作する。このように、従来の受信装置１００では、一つの検出信号に基づいてＲＦ−ＡＧＣ回路１０１およびＩＦ−ＡＧＣ回路１０３を作動させている。
【０００５】
なお、受信装置１００として以上に示したように、一つのＲＳＳＩ信号に基づいて無線周波数（ＲＦ）段と中間周波数（ＩＦ）段でのオートゲインコントロールを行う受信装置については、下記特許文献１に示されている。
【０００６】
【特許文献１】
特開平７−３３６２８３号公報
【０００７】
【発明が解決しようとする課題】
以上で説明したようなタイプの受信装置１００で起こり得る、受信上の問題点について説明する。図４は、受信装置１００で受信する信号の通信チャンネルの一例を表すグラフである。図４のように、通信チャンネルが３つ（符号ｃｈ１、ｃｈ２、ｃｈ３）で構成された通信帯域（符号ｂ０）がある場合、ＲＦ−ＡＧＣ回路１０１は、この通信帯域ｂ０全体について増幅を行う。
【０００８】
いま、受信装置１００が通信チャンネルｃｈ３を受信している状態で、さらに、通信チャンネルｃｈ１に強力な干渉波があるものとする。干渉波は、ＲＦ−ＡＧＣ回路１０１および周波数変換回路１０２において信号に歪みを発生させるので、希望信号、すなわち通信チャンネルｃｈ３の信号のレベルが抑圧されてしまう。この場合、キャリアセンス回路１０７に入力されているＲＳＳＩ信号が、キャリアセンス信号を出力するぎりぎりのレベルであったとすると、干渉波によって希望信号が抑圧される事による結果として、キャリアセンス信号１１１が出力されなくなるという事態が生じることになる。
【０００９】
つまり、受信装置１００では１つの検出信号を用いてＲＦ−ＡＧＣ回路１０１およびＩＦ−ＡＧＣ回路１０３を作動させていたので、受信装置１００がＲＦ同調回路を持たないタイプである場合には、通信チャンネル外に干渉波が存在する場合、希望信号が抑圧されてしまうことにより正常に受信されなくなってしまう。この場合、干渉波によって希望信号が抑圧されているのか、希望信号そのものの受信レベルが低いのかを、ＲＳＳＩ信号のみから特定することができない。
【００１０】
図３の受信装置１００が、キャリアセンス信号の有無によって送信可能であるかどうかを判定する通信装置（例えば、移動通信局）に組み込まれている場合、干渉波によって帯域内の希望信号が抑圧されてしまい、それによりキャリア信号がないと判定してしまい、他局が送信しているにもかかわらず送信を開始してしまうことが生じ得る。
【００１１】
本発明は、以上のような問題に鑑みてなされた。すなわち、本発明は、通信帯域内に発生する干渉波による影響を適確に判定し、それにより通信装置において適確な送受信の制御を可能にする干渉波検出装置、受信装置、および通信装置を提供することを目的とする。
【００１２】
【課題を解決するための手段】
そのため、ＲＦ信号についてオートゲインコントロールを行うＲＦ−ＡＧＣ回路と、中間周波数信号についてオートゲインコントロールを行うＩＦ−ＡＧＣ回路とを別々に設け、これらのＡＧＣ回路で生成されるＲＳＳＩ信号に相当する第１受信レベル信号と第２受信レベル信号とに基づいて、所定の通信帯域内における干渉波の有無を検出する干渉波検出手段を設ける（請求項１）。このような構成であれば、無線周波数（ＲＦ）段と中間周波数（ＩＦ）段で別々に受信レベルを検出できるので、干渉波の有無と希望波の有無とは独立に検出することが可能になる。
【００１３】
このような構成において、受信の対象となる通信チャンネルの信号である受信対象信号について存在の有無を検出することは可能である（請求項２）。また、干渉波および／または受信対象信号の強度を検出することも可能である（請求項３）。
【００１４】
干渉波検出手段は、第１受信レベル信号と第２受信レベル信号に基づいて、第１受信レベル信号のレベルが第２受信レベル信号のレベルよりも高い場合に干渉波が存在すると判定することができる（請求項４）。また、干渉波検出手段は、第２受信レベル信号のレベルが第１の所定値以上である場合には、受信対象信号が存在すると判定することもできる（請求項５）。また、干渉波検出手段は、第１受信レベル信号のレベルが第２の所定値以下である場合、干渉波は存在しないと判定することもできる（請求項６）。
【００１５】
或いは、干渉波検出手段は、第１受信レベル信号のレベルおよび第２受信レベル信号のレベルを、レベルの高い方から順に以下の３つの範囲、
範囲Ａ：第１受信レベル信号のレベルは受信レベルが大きくなるにしたがって上昇するように変化する領域であり、かつ、第２受信レベル信号は最大値で飽和している領域、
範囲Ｂ：第１受信レベル信号は最小値となっている領域であり、かつ、第２受信レベル信号は受信レベルが大きくなるにしたがって上昇する領域、
範囲Ｃ：第１受信レベル信号および第２受信レベル信号が共に最小値となる領域、
のいずれかの範囲にあるとして判定する構成であっても良い（請求項７）。
【００１６】
この場合、干渉波検出手段は、干渉波と、受信の対象となる通信チャンネルの信号である受信対象信号について、下記の基準、
（１）第１受信レベル信号が範囲Ｂまたは範囲Ｃにあり、かつ第２受信レベル信号が範囲Ｃにある場合には、干渉波および受信対象信号は無い第１状態であると判定する、
（２）第１受信レベル信号が範囲Ａにあり、かつ第２受信レベル信号が範囲Ｃにある場合には、強い干渉波のみ存在する第２状態であると判定する、
（３）第１受信レベル信号が範囲Ａにあり、かつ第２受信レベル信号が範囲Ｂにある場合には、干渉波および受信対象信号が存在する第３状態であると判定する、
（４）第１受信レベル信号が範囲Ｂまたは範囲Ｃにあり、かつ第２受信レベル信号が範囲Ｂにある場合には、干渉波は存在せず受信対象信号のみが存在する第４状態であると判定する、
（５）第１受信レベル信号が範囲Ａにあり、かつ第２受信レベル信号が範囲Ａにある場合には、強い受信対象信号が存在する第５状態であると判定する、
のうちの少なくともいずれか一つの基準にしたがって状態の判定を行うことができる（請求項８）。
【００１７】
このような構成の干渉波検出装置を採用するとともに、下記のような制御を行う送信電力制御手段を備える通信装置を構成すれば、送信電力の状態を最適に制御することができる。すなわち、この送信電力制御手段は、通信相手との通信リンクが確立されている場合において、以下の条件、
条件１．第１状態のときには、所定の送信電力で送信を行う、
条件２．第２状態のときには、第１受信レベル信号のレベルが大きいほど送信電力を大きくする、
条件３．第３状態のときには、第１受信レベル信号のレベルの大きさが大きいほど送信電力を大きくし、および／または第２受信レベル信号のレベルが大きいほど送信電力を小さくする、
条件４．第４状態のときには、第２受信レベル信号のレベルが大きいほど送信電力を小さくする、
条件５．第５状態のときには、第２受信レベル信号のレベルが大きいほど送信電力を小さくする、
のうちの少なくともいずれか一つの条件にしたがって送信電力の制御を行う（請求項９）。
【００１８】
さらに、通信装置は、通信相手との通信リンクが確立されていない場合において、干渉波と受信対象信号の状態が第１状態または第２状態となる、つまり確実に空きチャンネルであると見なすことができる通信チャンネルを見つけ出し、該見つけ出された通信チャンネルを送信用の通信チャンネルとする送信チャンネル制御手段を備えていても良い（請求項１０）。
【００１９】
また、干渉波検出装置を採用するとともに、干渉波検出手段での検出結果に基づいて受信チャンネルの制御を行うこと受信装置を構成することができる（請求項１１）。この受信装置は、目的の受信チャンネルに干渉波が存在するか否かを確実に検出し受信チャンネルの制御を行うことができる。
【００２０】
【発明の実施の形態】
図１は、本発明の実施形態としての干渉波検出装置２００の構成を表す図である。図１の干渉波検出装置２００は、移動通信局などの通信装置に採用される。受信信号２１０は、ＲＦ−ＡＧＣ増幅回路２０１に入力され増幅された後、周波数変換回路２０２とＲＦ−ＡＧＣ回路２０５に入力さされる。ＲＦ−ＡＧＣ回路２０５は、ＲＦ−ＲＳＳＩ信号２１３を出力し、ＲＦ−ＡＧＣ増幅回路２０１の出力が最適となるように制御する。周波数変換回路２０２は、受信信号をＩＦ信号（中間周波数信号）に変換する。
【００２１】
ＩＦ信号は、ＩＦ−ＡＧＣ増幅回路２０３によって増幅された後、検波回路２０４に入力される。検波回路２０４は、ＩＦ信号を検波し、ベースバンド信号２１１を出力する。ＩＦ−ＡＧＣ回路２０６は、ＩＦ−ＲＳＳＩ信号２１２を出力し、ベースバンド信号２１１が最適なレベルとなるようにＩＦ−ＡＧＣ増幅回路２０３の利得を制御する。
【００２２】
干渉波検出回路２０７には、ＲＦ−ＲＳＳＩ信号２１３とＩＦ−ＲＳＳＩ信号２１２が入力されている。図２は、受信レベルと、これらＲＳＳＩ信号のレベルの関係を表すグラフである。符号５のグラフが、受信レベルとＲＦ−ＲＳＳＩ信号のレベルの関係を表し、符号７のグラフが、受信レベルとＩＦ−ＲＳＳＩ信号のレベルの関係を表す。図２において、横軸が受信レベル、縦軸がそれぞれのＲＳＳＩ信号のレベルを表す。なお、横軸の受信レベルは、図の左方向が、受信レベルが高くなる方向である。また、図２において範囲Ａ、範囲Ｃは、それぞれ、受信レベルが高い領域、弱い領域に対応し、範囲Ｂは、これらの中間的な受信レベルに対応する。
【００２３】
干渉波検出回路２０７は、入力のＲＦ−ＲＳＳＩ信号２１３とＩＦ−ＲＳＳＩ信号２１２のレベルが、範囲Ａ−Ｃのうちのどの範囲にあるかに応じて、干渉波と希望信号の有無を下記のように特定する。下記の表１は、干渉波検出回路２０７への入力と、それに対応する、干渉波検出回路２０７が特定する状態の対応関係を示している。
【００２４】
【表１】
2004180156.tif 000003
【００２５】
受信信号が無い場合は、ＲＦ−ＲＳＳＩ信号２１３とＩＦ−ＲＳＳＩ信号２１２は、共に範囲Ｃのレベル（Ｒ０レベル）になる。この状態は、上記表１の状態１に対応する。この場合、干渉波検出回路２０７は、受信信号がないと判定し、この状態を示す状態信号をチャンネル制御回路２０８および送信電力制御回路２０９に対して出力する。なお、図２に示すように、受信信号が存在しない場合、ＲＦ−ＲＳＳＩ信号２１３のレベルは状態Ｂ、または状態Ｃのレベルとなる。
【００２６】
通信帯域内に干渉波が存在し、かつそのレベルが強い場合、ＲＦ−ＲＳＳＩ信号は範囲Ａのレベルとなる。このとき、受信すべき通信チャンネル内に信号が存在しない場合、つまり希望信号が存在しない場合には、ＩＦ−ＲＳＳＩ信号２１２は、範囲Ｃのレベルとなる。この状態は、上記表１の状態２に対応する。この場合、干渉波検出回路２０７は、強い干渉波のみが存在すると判定する。干渉波検出回路２０７は、この状態を示す状態信号をチャンネル制御回路２０８および送信電力制御回路２０９に対して出力する。
【００２７】
また、この場合において、希望信号が存在する場合でも、ＩＦ−ＲＳＳＩ信号２１２が範囲Ｂのレベルにある場合には、希望信号の他に、干渉波も存在すると判定する。この状態は、上記表１の、状態３に対応する。干渉波検出回路２０７は、この状態を示す状態信号をチャンネル制御回路２０８および送信電力制御回路２０９に対して出力する。
【００２８】
干渉波が存在せず、希望信号のみの場合には、ＲＦ−ＲＳＳＩ信号２１３は範囲Ｃまたは範囲Ｂのレベルになり、希望信号が存在すればＩＦ−ＲＳＳＩ信号２１２は、範囲Ｂのレベルになる。これは、上記表１の状態４に対応する。干渉波検出回路２０７は、この状態を示す状態信号をチャンネル制御回路２０８および送信電力制御回路２０９に対して出力する。
【００２９】
ＲＦ−ＲＳＳＩ信号２１３とＩＦ−ＲＳＳＩ信号２１２が、共に範囲Ａのレベルにある場合には、強い希望信号のみが存在すると判定される。この状態は、上記表１の、状態５に対応する。干渉波検出回路２０７は、この状態を示す状態信号をチャンネル制御回路２０８および送信電力制御回路２０９に対して出力する。
【００３０】
以上のように、干渉波検出回路２０７は、干渉波の存在と希望信号の存在とを区別して特定することができる。
【００３１】
送信電力制御回路２０９は、干渉波検出回路２０７からの状態信号にしたがって送信制御部（不図示）における送信電力が最適となるように制御する。すなわち、干渉波検出装置２００を備える通信装置と相手局との間で通信リンクが確立している場合、送信電力制御回路２０９は、状態１（干渉波なし、希望信号なし）のときには、所定の送信電力を設定する。状態２（強い干渉波のみ）の場合には、送信電力制御回路２０９は、ＲＦ−ＲＳＳＩ信号２１３のレベルに応じて送信電力を上げるように制御する。干渉波が強いほど、送信信号の強度を上げる事が望ましいからである。
【００３２】
状態３（強い干渉波、希望信号があり）の場合には、送信電力制御回路２０９は、ＲＦ−ＲＳＳＩ信号２１３とＩＦ−ＲＳＳＩ信号２１２のレベルに応じて、送信電力が最適となるように制御を行う。この場合、送信電力は、ＲＦ−ＲＳＳＩ信号２１３のレベルが大きいほど強く、ＩＦ−ＲＳＳＩ信号２１２のレベルが大きいほど弱く、のうちの少なくとも一方の条件にしたがって制御されても良い。干渉波が強い場合には送信電力を上げるのが望ましく、希望信号が強い場合には送信電力を下げても良いからである。
【００３３】
状態４（干渉波なし、希望信号あり）の場合には、送信電力制御回路２０９は、ＩＦ−ＲＳＳＩ信号２１２のレベルに応じて、送信電力が最適となるように制御する。この場合、送信電力は、ＲＦ−ＲＳＳＩ信号２１３のレベルが大きいほど弱くなるように制御されても良い。
【００３４】
また、状態５（強い希望信号あり）の場合には、送信電力制御回路２０９は、ＲＦ−ＲＳＳＩ信号２１３大きくなるほど、送信電力を下げるように制御する。
【００３５】
一方、干渉波検出装置２００を備える通信装置と相手局との間で通信リンクが確立していない場合、チャネル制御回路２０８は、状態１または状態２となるような通信チャンネルを、空きの通信チャンネルとして見出して、そのチャンネルを送信チャンネルとすることができる。
【００３６】
以上説明した本発明の実施形態は、一つの例であり、本実施形態を変形することによって、本発明は様々なタイプの通信装置に適用することができる。例えば、本発明は、アナログ方式およびデジタル方式の通信装置に適用する事ができる。また、本発明は、携帯電話、放送受信装置など、干渉波検出が必要とされる様々なタイプの通信装置に適用することができる。本発明を受信装置に適用する場合には、目的の受信チャンネルに干渉波が存在する事を検出できるので、受信チャンネルの切り替えなどの制御に役立てることができる。
【００３７】
【発明の効果】
以上説明したように本発明によれば、干渉波と希望信号を分離して、その存在の有無を独立に検出することが可能である。干渉波を、希望信号とは独立に検出できるので、干渉波の影響が最小となるように送信電力を制御すること可能になる。それと同時に、キャリア検出における干渉波の影響を回避することができる。
【図面の簡単な説明】
【図１】本発明の実施形態としての干渉波検出装置の構成を表す図である。
【図２】図１の干渉波検出装置における、受信レベルと、ＲＦ−ＲＳＳＩ信号およびＩＦ−ＲＳＳＩ信号のレベルの関係を表すグラフである。
【図３】従来の干渉波検出装置の構成を表す図である。
【図４】３つの通信チャンネルからなる通信帯域の構成を示す図である。
【符号の説明】
２００  干渉波検出装置
２０１  ＲＦ−ＡＧＣ増幅回路
２０３  ＩＦ−ＡＧＣ増幅回路
２０５  ＲＦ−ＡＧＣ回路
２０６  ＩＦ−ＡＧＣ回路
２０７  干渉波検出回路
２０８  チャンネル制御回路
２０９  送信電力制御回路
【図１】
2004180156.tif 000004
【図２】
2004180156.tif 000005
【図３】
2004180156.tif 000006
【図４】
2004180156.tif 000007